(57)【要約】【課題】多様な媒体からのユーザのアクセス履歴に基づく広告の配信を可能とする。【解決手段】端末装置４０に広告を配信する広告配信装置（広告提供サーバ２０及び広告配信管理サーバ３０）において、広告データベースには、広告と第１のＵＲＬとが対応づけて記憶され、広告配信管理サーバ３０の制御部は、第１のＵＲＬへの端末装置４０のアクセス履歴を収集し、広告提供サーバ２０の制御部及び広告配信管理サーバ３０の制御部は、収集されたアクセス履歴に基づいて、端末装置４０に対して広告を配信する。【選択図】図１
2015197791.tif 000002
【特許請求の範囲】
【請求項１】
端末装置に広告を配信する広告配信装置において、
前記広告と第１のＵＲＬとを対応づけて記憶する記憶手段と、
前記第１のＵＲＬへの前記端末装置のアクセス履歴を収集する履歴収集手段と、
前記履歴収集手段により収集された前記アクセス履歴に基づいて、前記端末装置に対して前記広告を配信する配信手段と、
を備えることを特徴とする広告配信装置。
【請求項２】
前記記憶手段は、前記第１のＵＲＬと対応する第２のＵＲＬを記憶し、
前記履歴収集手段は、前記端末装置のアクセス履歴を収集した後、前記第１のＵＲＬに対応づけられた前記第２のＵＲＬに転送することを特徴とする請求項１に記載の広告配信装置。
【請求項３】
前記履歴収集手段は、前記アクセス履歴として、前記端末装置を利用したユーザのユーザＩＤ及び前記第１のＵＲＬにアクセスしたことを示すアクセス情報を収集することを特徴とする請求項１又は２に記載の広告配信装置。
【請求項４】
前記配信手段は、前記端末装置から広告コンテンツの取得要求を受信した際、前記アクセス履歴の有無に応じて、前記広告を配信することを特徴とする請求項１〜３の何れか一項に記載の広告配信装置。
【請求項５】
前記記憶手段は、配信順序の定められた一連の広告を記憶し、
前記配信手段は、前記履歴収集手段により収集された前記アクセス履歴に基づいて、前記一連の広告を定められた配信順序で配信することを特徴とする請求項１〜４の何れか一項に記載の広告配信装置。
【請求項６】
前記第１のＵＲＬは、所定の情報掲載媒体に掲載された情報に設定されることを特徴とする請求項１〜５の何れか一項に記載の広告配信装置。
【請求項７】
前記第１のＵＲＬは、前記情報が掲載された前記情報掲載媒体を識別する識別情報を含み、
前記配信手段は、前記識別情報に基づいて前記情報掲載媒体に対応する広告を配信することを特徴とする請求項６に記載の広告配信装置。
【請求項８】
前記第１のＵＲＬの設定された前記情報は、広告であることを特徴とする請求項６又は７に記載の広告配信装置。
【請求項９】
前記情報掲載媒体は、ソーシャルネットワークサービス上に投稿された投稿文であることを特徴とする請求項６〜８の何れか一項に記載の広告配信装置。
【請求項１０】
端末装置に広告を配信する広告配信装置において実行される広告配信方法において、
前記広告に対応づけられた第１のＵＲＬへの前記端末装置のアクセス履歴を収集する履歴収集工程と、
前記履歴収集工程により収集された前記アクセス履歴に基づいて、前記端末装置に対して前記広告を配信する配信工程と、
を有することを特徴とする広告配信方法。
【請求項１１】
コンピュータを、
前記広告と第１のＵＲＬとを対応づけて記憶する記憶手段、
前記第１のＵＲＬへの前記端末装置のアクセス履歴を収集する履歴収集手段、
前記履歴収集手段により収集された前記アクセス履歴に基づいて、前記端末装置に対して前記広告を配信する配信手段、
として機能させるためのプログラム。
【発明の詳細な説明】
【技術分野】
【０００１】
本発明は、広告配信装置、広告配信方法及びプログラムに関する。
【背景技術】
【０００２】
従来、ユーザが使用する端末装置に、当該ユーザの過去のアクセス履歴に基づいて広告などのコンテンツを配信する広告配信方法が知られている。
例えば、特許文献１には、スクリプトが組み込まれたウェブページを経由して広告配信管理サーバにアクセスしてきた端末装置から取得したクッキーＩＤと、アクセス履歴ＤＢに格納されたアクセス履歴とに基づいて、広告ＤＢから広告を選択し、選択した広告を端末装置で表示されるウェブページに掲載する技術が提案されている。
【先行技術文献】
【特許文献】
【０００３】
【特許文献１】特開２０１２−６８８２８号公報
【発明の概要】
【発明が解決しようとする課題】
【０００４】
ところで、上記したようにアクセス履歴を用いて広告配信を行うにあたって、アクセス履歴を収集するには、広告掲載媒体にタグを設置しなければならず、広告主の負担が大きいものであった。また、タグを設置可能な広告掲載媒体が限られるため、多様な広告掲載媒体からアクセス履歴を収集するのが困難であった。
よって、多様な広告掲載媒体に掲載された広告を介してアクセスしたユーザのアクセス履歴に基づく広告を配信できないものであった。
【０００５】
本発明の課題は、多様な媒体からのユーザのアクセス履歴に基づく広告の配信を可能とする広告配信装置、広告配信方法及びプログラムを提供することである。
【課題を解決するための手段】
【０００６】
上記課題を解決するため、本発明に係る広告配信装置は、
端末装置に広告を配信する広告配信装置において、
前記広告と第１のＵＲＬとを対応づけて記憶する記憶手段と、
前記第１のＵＲＬへの前記端末装置のアクセス履歴を収集する履歴収集手段と、
前記履歴収集手段により収集された前記アクセス履歴に基づいて、前記端末装置に対して前記広告を配信する配信手段と、
を備えることを特徴とする。
【０００７】
また、本発明に係る広告配信方法は、
端末装置に広告を配信する広告配信装置において実行される広告配信方法において、
前記広告に対応づけられた第１のＵＲＬへの前記端末装置のアクセス履歴を収集する履歴収集工程と、
前記履歴収集工程により収集された前記アクセス履歴に基づいて、前記端末装置に対して前記広告を配信する配信工程と、
を有することを特徴とする。
【０００８】
また、本発明に係るプログラムは、
コンピュータを、
前記広告と第１のＵＲＬとを対応づけて記憶する記憶手段、
前記第１のＵＲＬへの前記端末装置のアクセス履歴を収集する履歴収集手段、
前記履歴収集手段により収集された前記アクセス履歴に基づいて、前記端末装置に対して前記広告を配信する配信手段、
として機能させるためのプログラムである。
【発明の効果】
【０００９】
本発明によれば、多様な媒体からのユーザのアクセス履歴に基づく広告の配信が可能となる。
【図面の簡単な説明】
【００１０】
【図１】本発明の本実施の形態に係る広告配信システムの概略構成を示す図である。
【図２】広告提供サーバの主制御構成を示すブロック図である。
【図３】広告配信管理サーバの主制御構成を示すブロック図である。
【図４】履歴収集データベースの構成例を示す図である。
【図５】広告データベースの構成例を示す図である。
【図６】端末装置の主制御構成を示すブロック図である。
【図７】履歴収集処理に際して端末装置に表示された、広告を含むウェブサイトの一例である。
【図８】広告配信処理によって端末装置に表示された、広告を含むウェブサイトの一例である。
【図９】履歴取得処理の流れを示すフローチャートである。
【図１０】広告配信処理の流れを示すフローチャートである。
【図１１】一連の広告が表示された一例を示す図である。
【発明を実施するための形態】
【００１１】
以下に、本発明の実施の形態について図面を参照して説明する。ただし、以下は本発明の一実施形態であって本発明を限定するものではない。
【００１２】
［１．広告配信システムの概要］ 
まず、本実施の形態に係る広告配信システム１００の概要について説明する。
本実施の形態に係る広告配信システム１００は、あるウェブサイトにアクセスしたユーザが、そのあと別のウェブサイトを閲覧した際、最初のウェブサイトにアクセスしたアクセス履歴に基づく広告を配信することを可能とするものである。
具体的な状況の一例として、ユーザがある商品のウェブサイトを閲覧したが、その場では購入せずに当該サイトを離れたとする。そのあと数時間あるいは数日経過したところで、このユーザが別のウェブサイトを閲覧していたところ、先立って閲覧していた商品の広告が表示されることとなる。
【００１３】
［２．広告配信システムの構成］
図１は、広告配信システム１００の概略構成を示す図である。
図１に示すように、広告配信システム１００は、Ｗｅｂサーバ１０、広告提供サーバ２０、広告配信管理サーバ３０、及び端末装置４０を備えて構成されている。このうち、広告提供サーバ２０及び広告配信管理サーバ３０により、広告配信装置が構成される。
広告配信システム１００において、Ｗｅｂサーバ１０、広告提供サーバ２０、広告配信管理サーバ３０は、通信ネットワークＮにより互いに通信自在に接続され、端末装置４０は、通信ネットワークＮを介してこれら各サーバにアクセス可能である。
なお、図１は広告提供サーバ２０及び端末装置４０は１台のみ表示されているが、複数の広告提供サーバ２０及び端末装置４０が存在する。
また、本実施形態においては、広告提供サーバ２０及び広告配信管理サーバ３０が別に設けられた構成を例示しているが、これらを同一のサーバとしても良い。
【００１４】
［２−１．Ｗｅｂサーバ］
Ｗｅｂサーバ１０の構成及び機能について簡単に説明する。
Ｗｅｂサーバ１０は、例えば、制御部、操作部、表示部、記憶部、及び通信部等を備えて構成されている。
Ｗｅｂサーバ１０の制御部は、端末装置４０からウェブサイト等のコンテンツ（ウェブコンテンツ）の取得要求を受信し、これに応じて端末装置４０にウェブコンテンツを配信する。
Ｗｅｂサーバ１０によって配信されるウェブサイトには、広告提供サーバ２０によって配信される広告用のコンテンツ（広告コンテンツ）が表示される広告枠が含まれるものとする。
なお、端末装置４０は、Ｗｅｂサーバ１０から広告枠が含まれるウェブコンテンツを受信した場合に、かかる広告枠に表示される広告コンテンツの取得要求を、広告配信管理サーバ３０に送信し、広告配信管理サーバ３０は、広告提供サーバ２０に対して広告の配信指示を行う。
【００１５】
［２−２．広告提供サーバ］
図２は、広告提供サーバ２０の主制御構成を示すブロック図である。
広告提供サーバ２０は、例えば、広告配信業者によって管理される。
広告提供サーバ２０は、例えば、制御部２１、操作部２２、表示部２３、記憶部２４、及び通信部２５等を備えて構成されている。
【００１６】
制御部２１は、広告提供サーバ２０の動作を中央制御する。具体的には、制御部２１は、ＣＰＵ（Central Processing Unit）、ＲＯＭ（Read Only Memory）、ＲＡＭ（Random Access Memory）などを備えて構成され、ＲＡＭの作業領域に展開されたＲＯＭや記憶部２４に記憶されたプログラムデータとＣＰＵとの協働により、広告提供サーバ２０の各部を統括制御する。
【００１７】
例えば、制御部２１は、端末装置４０からの広告コンテンツの取得要求に伴う広告配信管理サーバ３０からの広告の配信指示に従い、上記ウェブサイトの広告枠に表示される広告コンテンツを端末装置４０に配信する。
広告コンテンツは、例えば、広告を目的とした動画データ、画像データ、テキストデータ等であり、企業名、商品名、商品を紹介するサイトのＵＲＬ（Uniform Resource Locator）等の情報を含み、商品を紹介するサイト等にリンクが張られている。
【００１８】
ここで、本実施形態において、広告主は、所定の広告コンテンツ（広告Ａという）に関するサイトに対して、広告配信管理サーバ３０の管理者により予め発行されたリダイレクトＵＲＬ（第１のＵＲＬ）を設定しておく。
従って、広告Ａを含むウェブサイトを閲覧中のユーザが、この広告Ａを選択する選択操作（例えばクリックやタップ等）をした場合には、リダイレクトＵＲＬを経由して、広告Ａの関連サイト（サイトａという）に到達することとなる。なお、広告配信管理サーバ３０では、サイトａへのアクセス履歴が取得される。
【００１９】
また、広告配信業者は、広告主の要求に基づいて、上記した所定の広告コンテンツ（広告Ａ）が選択操作されることで所定のサイト（サイトａ）にアクセスしてきた端末装置４０に対して次に広告コンテンツを配信する際に、配信する広告コンテンツ（広告Ｂという）を予め定め、広告配信管理サーバ３０に通知しておく。
従って、端末装置４０から広告コンテンツの取得要求が送信されると、広告配信管理サーバ３０は、アクセス履歴に基づいて広告Ｂを配信する指示を広告提供サーバ２０に送信する。制御部２１は、これに応じて端末装置４０に広告Ｂを配信することとなる。
【００２０】
更に、広告配信業者は、広告主の要求に基づいて、上記した配信する広告コンテンツ（広告Ｂ）を、リダイレクトＵＲＬの設定された所定の広告コンテンツ（広告Ａ）が掲載された広告掲載媒体毎に予め定めておくこともできる。この場合には、広告掲載媒体毎の広告Ｂを広告配信管理サーバ３０に通知しておく。
【００２１】
操作部２２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部２１へと出力する。
【００２２】
表示部２３は、例えば、ＣＲＴ（Cathode Ray Tube）やＬＣＤ（liquid crystal display）などのディスプレイを備え、制御部２１から出力された表示制御信号に基づいた画像を表示画面に表示する。
【００２３】
記憶部２４は、例えば、ＨＤＤ（Hard disk drive）、半導体メモリなどにより構成され、プログラムデータや各種設定データ等のデータを制御部３１から読み書き可能に記憶する。
【００２４】
通信部２５は、通信用ＩＣ（Integrated Circuit）及び通信コネクタなどを有する通信インターフェイスであり、制御部２１の制御の下、所定の通信プロトコルを用いて通信ネットワークＮを介したデータ通信を行う。
【００２５】
［２−３．広告配信管理サーバ］
図３は、広告配信管理サーバ３０の主制御構成を示すブロック図である。
広告配信管理サーバ３０は、例えば、制御部３１、操作部３２、表示部３３、記憶部３４、及び通信部３５等を備えて構成されている。
【００２６】
制御部３１は、広告配信管理サーバ３０の動作を中央制御する。具体的には、制御部３１は、ＣＰＵ、ＲＯＭ、ＲＡＭなどを備えて構成され、ＲＡＭの作業領域に展開されたＲＯＭや記憶部３４に記憶されたプログラムデータとＣＰＵとの協働により、広告配信管理サーバ３０の各部を統括制御する。
【００２７】
例えば、制御部３１は、所定の広告コンテンツ（広告Ａ）を介してリダイレクトＵＲＬにアクセスした端末装置４０のアクセス履歴を取得する。
具体的には、リダイレクトＵＲＬの設定された広告Ａを含むウェブサイトを閲覧中のユーザが、広告Ａを選択操作することにより、端末装置４０が広告配信管理サーバ３０に接続され、制御部３１は、当該端末装置４０のアクセス履歴（ユーザＩＤ、アクセス情報、広告掲載媒体情報）を収集する。
その後、制御部３１は、端末装置４０の接続先を、リダイレクトＵＲＬに対応づけられたサイトのランディングページ（広告Ａの関連サイト（サイトａ）に転送する。
上記したように、リダイレクトＵＲＬへの端末装置４０のアクセス履歴を収集する履歴収集処理を実行することで、制御部３１は、履歴収集手段として機能している。
【００２８】
また、制御部３１は、アクセス履歴に基づいて、広告提供サーバ２０に対して、端末装置４０に配信する広告（広告Ｂ）を指示する。
具体的には、端末装置４０が、Ｗｅｂサーバ１０から広告枠が含まれるウェブコンテンツを受信することにより、当該広告枠に表示される広告コンテンツの取得要求を広告配信管理サーバ３０に対して送信すると、制御部３１は、これを受信し、その端末装置４０を利用したユーザのアクセス履歴が有るか否か判断する。そして、制御部３１は、アクセス履歴が有る場合、端末装置４０が既にアクセスしたサイト（例えばサイトａ）に応じて、そのサイト（サイトａ）にアクセスした端末装置４０に対して配信すると予め定められた広告コンテンツ（広告Ｂ）を配信するように、広告提供サーバ２０に対して指示をする。
また、広告Ｂが広告掲載媒体毎に定められている場合には、その広告掲載媒体毎の広告Ｂを配信するように、広告提供サーバ２０に対して指示をする。
また、アクセス履歴がない場合には、複数の広告提供サーバ２０からランダムに選択した広告提供サーバ２０に対して広告配信を指示する。
上記したように、収集されたアクセス履歴に基づいて、端末装置４０に対して広告を配信する広告配信処理を実行することで、制御部３１は、広告提供サーバ２０の制御部２１と共に、配信手段として機能している。
【００２９】
操作部３２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部３１へと出力する。
【００３０】
表示部３３は、例えば、ＣＲＴやＬＣＤなどのディスプレイを備え、制御部３１から出力された表示制御信号に基づいた画像を表示画面に表示する。
【００３１】
記憶部３４は、例えば、ＨＤＤ、半導体メモリなどにより構成され、プログラムデータや各種設定データ等のデータを制御部３１から読み書き可能に記憶する。
具体的に、記憶部３４は、履歴収集データベース３４２、広告データベース３４１を備えている。
【００３２】
広告データベース３４１は、記憶手段として、広告配信処理に際して必要な各種情報が予め記憶されたデータベースである。
図４は、広告データベース３４１の構成例を示す図である。
図４に示すように、広告データベース３４１には、広告掲載媒体毎のリダイレクトＵＲＬと、転送先情報と、配信広告情報が含まれる。
ここでは、広告掲載媒体毎に配信する広告コンテンツ（広告Ｂ）が定められた例を示しており、この場合、各広告コンテンツ（広告Ｂ）に対して、異なるリダイレクトＵＲＬが設定される。
【００３３】
リダイレクトＵＲＬは、広告主により指定された所定の広告コンテンツ（広告Ａ）に関するサイトに対して、予め発行されるものであって、端末装置４０が、その広告コンテンツ（広告Ａ）に関するサイト（サイトａ）に接続される前に、一時的に転送されるＵＲＬを示すものである。リダイレクトＵＲＬは、広告Ａのランディングページごとに発行される。
更に、リダイレクトＵＲＬは、図４に示すように、各広告掲載媒体に対して、それぞれ異なるものとして設定されても良い。ここでは、広告掲載媒体として、Ｗｅｂサイト１、Ｗｅｂサイト２、雑誌Ａ、雑誌Ｂ、新聞Ａ、新聞Ｂ、ＳＮＳシェアボタンを例示している。
また、リダイレクトＵＲＬには、広告コンテンツ（広告Ａ）の掲載される広告掲載媒体を識別する識別情報が含まれる。図４では、リダイレクトＵＲＬの下４桁「ｘｚｘｚ」や「ｙｚｙｚ」が情報媒体を識別する識別情報である。
【００３４】
転送先情報は、上記した所定の広告（広告Ａ）に関するサイト（サイトａ）のランディングページのＵＲＬ（第２のＵＲＬ）を示す情報である。転送先情報は、リダイレクトＵＲＬの発行時に、広告主により指定される。
図４は、広告掲載媒体が異なる場合でも、同一サイト（サイトａ）のランディングページに転送する設定である。
【００３５】
配信広告情報は、上記した所定の広告コンテンツ（広告Ａ）が選択操作されることで所定のサイト（サイトａ）にアクセスした端末装置４０に対して次に配信する広告コンテンツ（広告Ｂ）を指示するための情報である。広告Ｂは、広告主の要求に基づいて広告配信業者により予め定められ、広告配信管理サーバ３０に通知される。
ここで、広告Ｂは、リターゲティング広告である。広告Ｂは、先だってユーザがアクセスした広告Ａに関連した内容のものが好ましい。例えば、広告Ａがある不動産会社が提供する物件情報の広告であった場合、広告Ｂはその不動産会社が提供する別の物件情報の広告などとすることができる。
また、広告Ｂを、広告掲載媒体に応じて設定することも好ましく、図４では、広告掲載媒体毎に異なる広告Ｂ（広告１〜広告７）が設定されている例である。
なお、広告１〜広告７の全て同一の広告であっても、一部のみ異なる広告であっても良いのは勿論である。
また、広告Ａと広告Ｂが同一の広告であっても良い。
【００３６】
履歴収集データベース３４２は、履歴収集処理において、リダイレクトＵＲＬにアクセスした端末装置４０のアクセス履歴を記憶するデータベースである。
図５は、履歴収集データベース３４２の構成例を示す図である。
図５に示すように、履歴収集データベース３４２には、アクセス履歴として、ユーザＩＤ、アクセス情報、広告掲載媒体情報が含まれる。
ユーザＩＤは、端末装置４０を利用したユーザを識別する情報である。
アクセス情報は、広告コンテンツ（広告Ａ）を選択操作することでアクセスしたサイト（サイトａ）、即ち、リダイレクトＵＲＬに対応づけられたサイトを示す情報である。
広告掲載媒体情報は、選択操作された広告コンテンツ（広告Ａ）が掲載されていた広告掲載媒体を示す情報である。広告掲載媒体は、リダイレクトＵＲＬに含まれる識別情報により取得可能である。なお、リダイレクトＵＲＬに広告掲載媒体の識別情報が含まれない場合、広告掲載媒体情報は取得しない構成とすることもできる。
図５は、端末装置４０のユーザ「α」が、広告掲載媒体「Ｗｅｂサイト１」に掲載された広告を選択操作して「サイトａ」にアクセスしたこと、端末装置４０のユーザ「β」が、広告掲載媒体「Ｗｅｂサイト２」に掲載された広告を選択操作して「サイトａ」にアクセスしたことが、アクセス履歴として取得されている例である。
【００３７】
通信部３５は、通信用ＩＣ及び通信コネクタなどを有する通信インターフェイスであり、制御部３１の制御の下、所定の通信プロトコルを用いて通信ネットワークＮを介したデータ通信を行う。
【００３８】
［２−４．端末装置］
端末装置４０は、広告を含むウェブサイトを閲覧するためのユーザ端末である。端末装置４０は、例えば、携帯電話端末やスマートフォン、タブレットコンピュータ、ノートコンピュータ、パーソナルコンピュータなどの情報処理機器から構成され、ウェブブラウザ（ウェブコンテンツ閲覧ソフトウェア）を備えている。
【００３９】
図６は、端末装置４０の主制御構成を示すブロック図である。
端末装置４０は、制御部４１、操作部４２、表示部４３、記憶部４４、及び通信部４５等を備えて構成されている。
【００４０】
制御部４１は、ＣＰＵ、ＲＯＭ、ＲＡＭなどを備えて構成され、ＲＡＭの作業領域に展開されたＲＯＭや記憶部４４に記憶されたプログラムデータとＣＰＵとの協働により、端末装置４０の各部を統括制御する。
【００４１】
操作部４２は、例えば、ホームボタンからなるキー入力部と、表示部４３と一体的に形成されたタッチパネルとを備えており、ユーザからの操作入力を受け付けて、操作入力に応じた操作信号を制御部４１へと出力する。
【００４２】
表示部４３は、例えば、ＬＣＤ、有機ＥＬ（Electro Luminescence）素子を用いたＦＰＤ（Flat Panel Display）などのディスプレイを備え、制御部４１から出力された表示制御信号に基づいた画像を表示画面に表示する。
【００４３】
記憶部４４は、例えば、ＨＤＤ、半導体メモリなどにより構成され、プログラムデータや各種データを制御部４１から読み書き可能に記憶する。
【００４４】
通信部４５は、アンテナや通信回路を備え、制御部４１による制御の下で外部機器との間の無線通信を行う。具体的には、通信部４５は、通信ネットワークＮを介してデータ通信を行う。
【００４５】
図７は、履歴収集処理に際して端末装置４０の表示部４３に表示される、広告を含むウェブサイトの一例である。
図７では、Ｗｅｂサイト１に広告Ａが掲載された場合を例示している。
上述したように、広告ＡにはリダイレクトＵＲＬが設定されており、ここでは、広告Ａには「ｒｄ.ｙａｈｏｏ.ｃｏ.ｊｐ/ｒ/ｘｚｘｚ」が設定されていることとなる。
そして、ユーザαが広告Ａを選択操作した場合、リダイレクトＵＲＬを経由して、広告Ａに関する商品やサービスなどの商材に関する情報を提供するサイト（サイトａ）のランディングページ（図示省略）に到達することができる。
このとき、履歴収集データベース３４２には、アクセス履歴として、ユーザ「α」、アクセス情報「サイトａ」、広告掲載媒体情報「Ｗｅｂサイト１」が記憶される。
【００４６】
図８は、広告配信処理によって端末装置４０の表示部４３に表示された、広告を含むウェブサイトが表示された一例である。
図８は、図７に示した、Ｗｅｂサイト１に掲載された広告Ａを介してサイトａのランディングページに到達したことのあるユーザαが、その後、同一又は異なるウェブサイトを閲覧しようとする場合を想定している。
このとき、履歴収集データベース３４２には、ユーザ「α」に対して、アクセス情報「サイトａ」、広告掲載媒体情報「Ｗｅｂサイト１」が記憶されているため、広告データベース３４１から、広告Ｂとして「広告１」が配信されるよう決定される。
【００４７】
［３．履歴取得処理］
次に、広告配信管理サーバ３０により実行される、履歴取得処理の流れについて説明する。
図９は、履歴取得処理の流れを示すフローチャートである。
かかる処理の前提として、端末装置４０の表示部４３に、例えば図７に示した画面が表示された状態となっている。
【００４８】
先ず、ユーザにより、リダイレクトＵＲＬの設定された広告コンテンツ（広告Ａ）が選択操作されることにより、広告配信管理サーバ３０の制御部３１は、当該広告配信管理サーバ３０と端末装置４０とを接続する（ステップＳ１１）。
次いで、広告配信管理サーバ３０の制御部３１は、端末装置４０のアクセス履歴（ユーザＩＤ、アクセス情報、広告掲載媒体情報）を取得し、履歴収集データベース３４２に記憶する（ステップＳ１２）。
次いで、広告配信管理サーバ３０の制御部３１は、端末装置４０の接続をリダイレクトＵＲＬに対応づけられたサイト（サイトａ）のランディングページに転送し、本処理を終了する。
【００４９】
［４．広告配信処理］
次に、広告提供サーバ２０及び広告配信管理サーバ３０により実行される、広告配信処理の流れについて説明する。
図１０は、広告配信処理の流れを示すフローチャートである。
【００５０】
先ず、広告配信管理サーバ３０の制御部３１は、端末装置４０から広告コンテンツの取得要求を受信する（ステップＳ１０１）。
【００５１】
次いで、広告配信管理サーバ３０の制御部３１は、履歴収集データベース３４２を参照し、端末装置４０を利用したユーザのアクセス履歴が有るか否かを判断する（ステップＳ１０２）。
【００５２】
アクセス履歴が有る場合（ステップＳ１０２：ＹＥＳ）、広告配信管理サーバ３０の制御部３１は、広告データベース３４１を参照し、予め定められた広告コンテンツ（広告Ｂ）を配信するように、広告提供サーバ２０に対して指示をする（ステップＳ１０３）。
すると、広告提供サーバ２０の制御部２１は、これに応じて指示された広告コンテンツ（広告Ｂ）を端末装置４０に配信し（ステップＳ１０４）、本処理を終了する。
【００５３】
一方、アクセス履歴が無い場合（ステップＳ１０２：ＮＯ）、広告配信管理サーバ３０の制御部３１は、ランダムに選択した広告提供サーバ２０に広告配信を指示する（ステップＳ１０５）。
すると、広告配信指示を受信した広告提供サーバ２０の制御部２１は、任意の広告コンテンツを配信し（ステップＳ１０６）、本処理を終了する。
かかる処理により、端末装置４０の表示部４３には、例えば図８に示した画面が表示された状態となる。
【００５４】
なお、広告配信処理により配信された広告コンテンツ（広告Ｂ）にも、リダイレクトＵＲＬへのリンクが設定されている構成とすることができる。このようにすることで、当該広告Ｂをユーザが選択操作した場合、履歴取得処理がなされることとなる。
【００５５】
以上のように、本実施の形態によれば、端末装置４０に広告Ｂを配信する広告配信装置（広告提供サーバ２０及び広告配信管理サーバ３０）において、広告データベース３４１には、広告ＢとリダイレクトＵＲＬとが対応づけて記憶され、広告配信管理サーバ３０の制御部３１は、リダイレクトＵＲＬへの端末装置４０のアクセス履歴を収集し、広告提供サーバ２０の制御部２１及び広告配信管理サーバ３０の制御部３１は、収集されたアクセス履歴に基づいて、端末装置４０に対して広告Ｂを配信する。
このため、リダイレクトＵＲＬへの端末装置４０のアクセス履歴が収集でき、そのアクセス履歴に基づいて端末装置４０に対して広告Ｂが配信できるので、広告掲載媒体にタグを設置できない場合にも、広告掲載媒体にタグを埋め込まなくても広告Ｂを配信することができる。また、広告掲載媒体にタグを埋め込まなくても良いので、多様な広告掲載媒体からアクセス履歴を収集できる。
よって、多様な媒体からのユーザのアクセス履歴に基づく広告の配信が可能となる。
【００５６】
また、本実施の形態によれば、広告データベース３４１には、リダイレクトＵＲＬと対応するランディングページのＵＲＬが記憶され、広告配信管理サーバ３０の制御部３１は、端末装置４０のアクセス履歴を収集した後、リダイレクトＵＲＬに対応づけられたランディングページに転送する。
このため、広告掲載媒体にタグを埋め込まなくても広告Ｂを配信することができる。
【００５７】
また、本実施の形態によれば、広告配信管理サーバ３０の制御部３１は、アクセス履歴として、端末装置４０を利用したユーザのユーザＩＤ及びリダイレクトＵＲＬにアクセスしたことを示すアクセス情報を収集する。
このため、アクセス履歴を取得したユーザに対して広告Ｂを配信することができる。
【００５８】
また、本実施の形態によれば、広告配信管理サーバ３０の制御部３１は、端末装置４０から広告コンテンツの取得要求を受信した際、アクセス履歴の有無に応じて広告Ｂを配信する。
このため、アクセス履歴が有る場合には広告Ｂを配信し、アクセス履歴が無い場合にはそれ以外の他の広告を配信する。即ち、所定の条件を満たした際にのみ、広告Ｂを配信する。
【００５９】
また、本実施の形態によれば、リダイレクトＵＲＬは、広告掲載媒体であるＷｅｂサイトに掲載された広告Ａに設定される。
このため、ユーザが広告Ａを選択操作することで、リダイレクトＵＲＬに接続される。
【００６０】
また、本実施の形態によれば、リダイレクトＵＲＬは、広告Ａが掲載された広告掲載媒体を識別する識別情報を含み、広告提供サーバ２０の制御部２１及び広告配信管理サーバ３０の制御部３１は、識別情報に基づいて広告掲載媒体に対応する広告を配信する。
このため、広告掲載媒体に応じた適切な広告を配信することができる。
【００６１】
なお、広告データベース３４１に、配信する広告Ｂとして、配信順序の定められた一連の広告を記憶しておき、収集されたアクセス履歴に基づいて、一連の広告を定められた配信順序で配信する構成とすることもできる。
この場合、履歴収集データベース３４２には、配信した広告を特定する情報も記憶される。
そして、広告配信管理サーバ３０の制御部３１は、配信した広告を特定する情報から、次の配信順序となる広告を選択して広告提供サーバ２０に指示し、広告提供サーバ２０の制御部２１が該当する広告を配信する。
これにより、例えば図１１に示すように、端末装置４０がウェブサイトを表示する毎に、一連の広告１１〜広告１４を順次表示させることができる。
また、広告配信管理サーバ３０の制御部３１は、所定時間毎に一連の広告１１〜広告１４を配信するよう広告提供サーバ２０に指示し、広告提供サーバ２０の制御部２１がこれに応じて所定時間毎に該当する広告を配信する構成でも良い。
【００６２】
また、上記実施の形態においては、広告Ａや広告Ｂは同一の広告主から提供される構成を例示して説明したが、広告Ａの次に配信される広告Ｂを、別の広告主から提供されるものとすることもできる。
【００６３】
また、上記実施の形態においては、Ｗｅｂサーバ１０が１台のみの構成を例示して説明したが、Ｗｅｂサーバ１０を複数備えた構成でも良い。
かかる構成では、第１のＷｅｂサーバ１０から配信されたウェブサイトに広告Ａが配信された後、第２のＷｅｂサーバ１０から配信されたウェブサイトに広告Ｂを配信することできる。即ち、あるウェブコンテンツ管理者の提供したウェブサイトに掲載された広告Ａにより取得したアクセス履歴を用いて、他のウェブコンテンツ管理者の提供するウェブサイトに広告Ｂを配信することができる。
【００６４】
また、上記実施の形態によれば、情報掲載媒体としてウェブサイトを例示し、情報掲載媒体に掲載される情報として広告（広告Ａ）を例示して説明したが、情報掲載媒体は、ソーシャルネットワークサービス上に投稿された投稿文等であっても良く、情報掲載媒体に掲載される情報としては、広告以外の（広告を目的としない）画像データやテキストデータ等であっても良い。
さらに、情報掲載媒体として新聞、雑誌、街中の壁を利用し、情報掲載媒体に掲載される情報として、これらの情報掲載媒体に設定されたＱＲコード(登録商標)等とすることもできる。
【符号の説明】
【００６５】
１０  Ｗｅｂサーバ
２０  広告提供サーバ
２１  制御部（配信手段）
３０  広告配信管理サーバ
３１  制御部（履歴収集手段、配信手段）
３４  記憶部
３４１  広告データベース（記憶手段）
３４２  履歴収集データベース
４０  端末装置
１００  広告配信システム
Ｎ  通信ネットワーク
【図１】
2015197791.tif 000003
【図２】
2015197791.tif 000004
【図３】
2015197791.tif 000005
【図４】
2015197791.tif 000006
【図５】
2015197791.tif 000007
【図６】
2015197791.tif 000008
【図７】
2015197791.tif 000009
【図８】
2015197791.tif 000010
【図９】
2015197791.tif 000011
【図１０】
2015197791.tif 000012
【図１１】
2015197791.tif 000013